(57)【特許請求の範囲】
【請求項１】
縦寸法及び横寸法が３０〜８０ｃｍの方形に形成された連結骨の４つのコーナー部のそれぞれに、互いに平行な長さ２０〜８０ｃｍ、外径２〜１５ｃｍの中空筒の脚杆が連結骨と直角に一体に設けられた積上げ部材であって、連結骨の対角方向に延びるリブが設けられ、各脚杆の一端に嵌合部が設けられ、この嵌合部に嵌合可能な被嵌合部が各脚杆の他端に設けられている合成樹脂製の地下貯水槽用積上げ部材。
【発明の詳細な説明】
【０００１】
【発明の属する技術分野】
本発明は、地下貯水槽の水溜め空間内に縦方向及び横方向に並べられ且つ上下に段積みされて装填される地下貯水槽用積上げ部材に関する。
【０００２】
【従来の技術】
特公平４−２６６４８号公報には、水溜め空間に積上げ部材を装填した地下貯水槽が記載されている。この地下貯水槽の水溜め空間に装填される積上げ部材１は、図１６に示したように、方形の底板部１１と、この底板部１１の４つの辺部から端拡がり状に立ち上がった傾斜側板１２と、この傾斜側板１２の上下方向での一端縁部と他端縁部とにそれぞれ張出状に設けられた鍔部１３，１４とを有しており、上記底板部１１や傾斜側板１２には多数の通水孔１５が開設されている。
【０００３】
この積上げ部材１を地下貯水槽の水溜め空間に上下に段積みして装填するときの段積み形態として、たとえば図１５に示した段積み形態が採用される。同図の段積み形態は、上下に段積みされた２つの積上げ部材１，１の相互間において、その２つの積上げ部材１，１を上下逆向きにして重ね合わせたものである。そのため、多数の上記積上げ部材１…を上記水溜め空間の内部に縦方向および横方向に並べかつ上下に段積みして装填し、その上部に上記水溜め空間を覆う被覆層を配設した場合、その被覆層に加わる荷重は、多数の上記積上げ部材１…の集合体によって受け止められ、そのときには、図１５のように段積みされた個々の積上げ部材１の傾斜側板１２が上記荷重に抗するように作用する。
【０００４】
【発明が解決しようとする課題】
ところが、上下に段積みされている個々の積上げ部材１の傾斜側板１２は、上述したように端拡がり状に傾斜しているので、上記被覆層に加わる荷重を多数の上記積上げ部材１…の集合体によって受け止めさせると、個々の積上げ部材１の端拡がり状の傾斜側板１２にはそれを押し拡げる方向（すなわち傾斜側板１２を折り曲げる方向）に大きな力が加わるので、その傾斜側板１２に座屈が生じやすく、その傾斜側板１２に部分的な亀裂が生じているようなときには、その傾斜側板１２に加わる荷重がそれほど大きくなくてもその傾斜側板１２がその亀裂箇所を起点として容易に座屈してしまうおそれがある。とりわけ、この積上げ部材１が合成樹脂で一体成形されており、かつ上記傾斜側板１２をある程度薄肉にしてこの積上げ部材１の軽量化を図っているような場合には、上記のように座屈を生じやすい。そして、積上げ部材１の傾斜側板が座屈を起こすと、その座屈の影響が、上記水溜め空間に装填されている多数の積上げ部材の全体に及び、縦方向および横方向に並びかつ上下に段積みされた多数の積上げ部材の相互間で位置ずれが生じて多数の積上げ部材の全体的な配置上のバランスが崩れやすくなり、早期に地下貯水槽の改修を余儀なくされるという問題がある。
【０００５】
また、図１７に示したように、上記集合体を形成している最上部の上記積上げ部材１は、その底板部１１が上になるように倒立させて配置し、その上に被覆層を配設しなければならない。ところが、そのようにすると、縦方向または横方向で隣接する上記最上部の積上げ部材１，１同士の間に空隙Ｓが必然的に生じる。この空隙Ｓは何らかの方法で埋めておかねばならないが、仮にその空隙Ｓに砂利を詰めて埋めるという手段を採用すると、被覆層に加わる荷重がその砂利層を介して積上げ部材１の傾斜側板１２を折り曲げる方向に加わり、傾斜側板１２がきわめて座屈しやすい状況に置かれるようになるので好ましくない。他の手段として、その空隙Ｓを埋める楔形部材を設けると、被覆層に加わる荷重でその楔形部材が下方に押圧されたときに、その楔形部材が縦方向または横方向で隣接している積上げ部材１，１の間隔を押し拡げようとして上記集合体の全体の形が崩れやすくなるので好ましくない。
【０００６】
以上の問題に鑑み、本発明は、地下貯水槽の水溜め空間に装填される積上げ部材であって、該水溜め空間を覆う被覆層に加わる荷重によって座屈が生じ難く、装填された積上げ部材全体の形が崩れるおそれの少ない地下貯水槽用積上げ部材を提供することを主たる目的としている。
【０００７】
そして、本発明は、図１５や図１６で説明した積上げ部材に比べて、より大きな空間率を持たせることのできる地下貯水槽用積上げ部材を提供すること、更には、図１５や図１６で説明した積上げ部材よりも軽量化しやすい地下貯水槽用積上げ部材を提供することをも目的としている。
【０００８】
【課題を解決するための手段】
上記目的を達成するため、本発明の請求項１に係る合成樹脂製の地下貯水槽用積上げ部材は、縦寸法及び横寸法が３０〜８０ｃｍの方形に形成された連結骨の４つのコーナー部のそれぞれに、互いに平行な長さ２０〜８０ｃｍ、外径２〜１５ｃｍの中空筒の脚杆が連結骨と直角に一体に設けられた積上げ部材であって、連結骨の対角方向に延びるリブが設けられ、各脚杆の一端に嵌合部が設けられ、この嵌合部に嵌合可能な被嵌合部が各脚杆の他端に設けられている、というものである。
【０００９】
このような地下貯水槽用積上げ部材は、地下貯水槽の水溜め空間に縦方向及び横方向に並べられると共に上下に段積みされ、上下の積上げ部材の脚杆同士が垂直に連結された状態で水溜め空間に装填される。そして、装填された積上げ部材の上部には被覆層が設けられる。このようにして施工された地下貯水槽の被覆層の上を人が歩いたり自動車が走行したりすると、そのとき被覆層に加わる荷重は個々の積上げ部材の脚杆を垂直方向に圧縮する方向に主に作用し、その脚杆を折り曲げる方向にはそれほど大きな力が加わらない。そのため、積上げ部材が脚杆のところで座屈する恐れは殆どない。しかも、隣接する積上げ部材の連結骨同士が互いに突き合わせ状態で、縦方向にも横方向にも位置ずれし難いため、水溜め空間に装填された積上げ部材全体の形が崩れる恐れも殆どない。
【００１０】
また、この積上げ部材は、方形に形成された連結骨と４本の脚杆よりなる骨組み構造を有しているので、上記のように水溜め空間に装填したときの空間率が大きく、多量の水を蓄えることができる。その上、積上げ部材が上記の骨組み構造を有していることにより軽量化も達成しやすい。
【００１１】
なお、水溜め空間に装填された最上部の積上げ部材の連結骨より立ち上がる脚杆の上端には、板状枠でなる蓋体を取付け、その上に上記被覆層を設けることが好ましい。このようにすると、最上部の積上げ部材の相互間に空隙が形成されないため、被覆層に加わる荷重で積上げ部材が押し拡げられることがない。
【００１４】
上記請求項１の地下貯水槽用積上げ部材は、各脚杆の一端に嵌合部が設けられ、この嵌合部に嵌合可能な被嵌合部が各脚杆の他端に設けられているので、上下に段積みするとき、上下いずれか一方の積上げ部材の各脚杆の嵌合部に他方の積上げ部材の各脚杆の被嵌合部を嵌合させることによって、上下の積上げ部材の脚杆がずれたり外れたりしないように確実に脚杆を垂直に連結することができる。
【００１６】
また、上記請求項１に係る地下貯水槽用積上げ部材のように、各脚杆が中空筒であると、各脚杆に大きな曲げ強度が付与されるので、その座屈が一層生じ難くなり、軽量化も更に容易となる。
【００１８】
また、上記の請求項１の積上げ部材において、各脚杆と連結骨との間に亘って補強用ブラケットが一体に設けられていると、脚杆と連結骨との結合部分が補強ブラケットで補強されるので、脚杆が根元で折れたり、脚杆と連結骨との直角度が損なわれるといった自体が生じ難くなる。
【００２０】
【発明の実施の形態】
以下、図面を参照して本発明の具体的な実施形態を説明する。
【００２１】
図１は本発明の地下貯水層用積上げ部材を用いて施工した地下貯水槽を概略的に示す縦断面図、図２は本発明の一実施形態に係る地下貯水槽用積上げ部材を斜め上から見たときの概略斜視図、図３は同積上げ部材を倒立させて斜め上から見たときの概略斜視図、図４は同積上げ部材の平面図、図５は同積上げ部材の底面図、図６は同積上げ部材を倒立させた状態の側面図、図７は図４のＶＩＩ−ＶＩＩ線に沿う断面図、図８は同積上げ部材を上下に段積みした状態を示す部分側面図、図９は同積上げ部材を縦方向および横方向に並べた状態を示す概略平面図、図１０は縦方向および横方向に並ぶ積上げ部材の脚杆を連結具で連結した状態を示す部分概略平面図である。
【００２２】
図１に示す地下貯水槽Ａは、地面を掘り下げることによって地中に凹入状に形成された水溜め空間３を有し、この水溜め空間３の内部に、縦方向および横方向に並べられかつ上下に段積みされた本発明の多数の積上げ部材２からなる集合体Ｂが装填されている。そして、この集合体Ｂの上部に被覆層５が配設され、この被覆層５に加わる荷重が集合体Ｂによって受け止められるようになっている。なお、集合体Ｂの最上部の積上げ部材２の上に被覆層５を配設するための構成についてはさらに後述する。
【００２３】
図例の被覆層５は砂利や栗石などを敷き詰めて透水層５２を形成したものであり、その被覆層５の表面には芝生５３などを植生してある。また、被覆層５の表面に散策路や自動車の駐車場を造ることも可能である。この被覆層５は透水性を備えているため、水溜め空間３には被覆層５を浸透した水が入る。この水溜め空間３には集水用の側溝３１と排水用の側溝３２とが設けられている。そして、集水用の側溝３１と水溜め空間３との間にトラップ３３が介在されており、上記側溝３１に流入した雨水がトラップ３３を経て水溜め空間３に流入するようになっている。このため、側溝３１に流入する雨水中に土や砂などの固形物が混ざっていると、その固形物が上記トラップ３３によって取り除かれる。他方、排水用の側溝３２と水溜め空間３との間には、溢流堰３４が設置されている。このため、水溜め空間３の水位が溢流堰３４を越えて上昇しようとすると、水が溢流堰３４を越流して側溝３２に流出する。この側溝３２には、水を地中に浸透させるための水浸透設備３５が接続されている。また、この側溝３２には河川などに通じる排水管３６なども接続されている。そのほか、上記被覆層５を貫通して水溜め空間３の底部に達するマンホール３７が設けられている。
【００２４】
このような地下貯水槽Ａは、集中豪雨などに見舞われたときに河川の水位が急激に上昇して氾濫を起こすといった事態を回避することに利用することができる。たとえば、河川の水位がその集中豪雨によって上昇している間は、地表を流れて河川に流れ込もうとする雨水の一部を、この地下貯水槽Ａの水溜め空間３に流入させて一時貯留しておき、集中豪雨が治まって河川の水位が下がったときにその水溜め空間３の貯留水を河川に放流するようにすると、河川の水位の急激な上昇による氾濫を回避することができる。また、火災などの緊急を要する場合には、上記マンホール３７から消防用ホースや汲み上げ管３８を水溜め空間３に挿入し、その汲み上げ管３８などを通して水溜め空間３の貯留水を汲み上げ、防火用水などに用いることもできる。通常は、水溜め空間３の水を植物の灌水などに使用することができるのであり、そのためには、別途、水汲み口を水溜め空間３から導き出しておくことが好ましい。
【００２５】
上記地下貯水槽Ａにおいて、水溜め空間３を形成している壁３９は、粘土やコンクリートや遮水シートなどの不透水層であっても、あるいは砂利や栗石や透水性シートを敷き詰めた透水層であってもよく、透水層にしておくと、水溜め空間３の水を徐々に地中に逃がすことができる。
【００２６】
上記地下貯水槽Ａの水溜め空間３内に装填されている本発明の地下貯水槽用積上げ部材２は、図２〜図７に示すように、方形環状に形成された連結骨２１の４つのコーナ部２２…のそれぞれに、中空筒でなる等長の脚杆２３が一体に設けられている。これら４本の脚杆２３…は互いに平行に配備されており、連結骨２１と直角に設けられている。中空筒の脚杆２３には、中空単筒の脚杆のほか、中空二重筒や中空三重筒などの中空多重筒の脚杆も勿論含まれる。上記の連結骨２１には、対角方向に延びるリブ２７…が設けられており、また、それぞれの脚杆２３と連結骨２１との間に亘って補強用ブラケット２６が設けられている。この補強用ブラケット２６は、脚杆２３に加わる荷重でその脚杆２３と連結骨２１との直角度が損なわれることを防ぐことに役立つ。
【００２７】
それぞれの脚杆２３の一端部には嵌合部２４が設けられ、その脚杆２３の他端部には、上記嵌合部２４に嵌合可能な形状および寸法の被嵌合部２５が設けられている。この実施形態では、被嵌合部２５に上記嵌合部２４を内嵌合できるようにその被嵌合部２５の形状および寸法が定められているけれども、その逆に、被嵌合部２５に上記嵌合部２４を外嵌合できるようにその被嵌合部２５の形状および寸法を定めておいてもよい。また、この実施形態では、連結骨２１を板状枠によって形成し、脚杆２３における被嵌合部２５だけがこの板状枠の片面側に突出し、脚杆２３におけるその被嵌合部２５を除く部分はこの板状枠の他面側に突出するようにしてある。
【００２８】
なお、上記積上げ部材２において、脚杆２３の長さは２０〜８０ｃｍ、好ましくは２５〜５０ｃｍが適切であり、また、上記脚杆２３の外径は２〜１５ｃｍが適切である。この脚杆２３の長さが長すぎたり外径が小さすぎたりすると脚杆２３の耐曲げ強度が低くなりすぎるので好ましくない。また、連結骨２１の縦寸法および横寸法はいずれも３０〜８０ｃｍが適切である。これから判るように、積上げ部材２は全体として立方体がそれに近い形状に作っておくことが好ましく、そのようにしておくと、上記水溜め空間３に縦方向および横方向に並べて配置したり上下に段積みしたりするときの作業性が良好になる。
【００２９】
以上説明した積上げ部材２はポリプロピレン樹脂やポリ塩化ビニル樹脂などの合成樹脂で一体成形されている。
【００３０】
上記した積上げ部材２は、図１で説明した水溜め空間３の内部において、縦方向および横方向に並べられる共に上下に段積みされ、集合体Ｂを構成して水溜め空間３に装填されている。この積上げ部材２が上下に段積みされている形態が図８に示されている。すなわち、上下に段積みされた２つの積上げ部材２，２の相互間においては、図８で判るように、一方段の積上げ部材２の４本の脚杆２３…の各嵌合部２４…が、他方段の積上げ部材２の４本の脚杆２３…の各被嵌合部２５…に各別に嵌合されている。従って、集合体Ｂを構成しているそれぞれの積上げ部材２…の脚杆２３は、互いにずれたり外れたりしないように垂直に連結されて立ち上がっている。
【００３１】
また、この積上げ部材２が縦方向および横方向に並べられている形態が図９に示されている。すなわち、縦方向および横方向に並べられた積上げ部材２…においては、それらの連結骨２１…同士が縦方向および横方向で互いに突き合わされている。そして、図１０に示したように、縦方向および横方向に並んで隣接している４つの積上げ部材２…の相互間においては、相隣接する４本の脚杆２３…が、それらの脚杆２３…の相対位置を一定に保つ連結具６により連結されている。この連結具６は、上記脚杆２３…に径方向から嵌脱可能なクランプ部６１を有しており、このクランプ部６１を上記脚杆２３…に嵌合するだけで、図１０に示した４本の脚杆２３…の相対位置を一定に保つ機能を発揮する。
【００３２】
以上説明した実施形態の積上げ部材２は、連結骨２１が方形に形成されているけれども、連結骨２１を直角二等辺三角形に形成してもよい。
【００３３】
図１１は連結骨２１を直角二等辺三角形の環状に形成した本発明の他の実施形態に係る積上げ部材２の斜視図、図１２は同積上げ部材を二個一組として連結骨の斜辺部分を合わせて方形に組み合わせた状態を示す平面図である。
【００３４】
この図１１に示す積上げ部材２は、連結骨２１が上記のように直角二等辺三角形の環状に形成され、この連結骨２１の３つのコーナ部に互いに平行な３本の脚杆２３が連結骨２１と直角に一体に設けられている。その他の構成は前述した実施形態の積上げ部材と実質的に同様であるので、図１１，図１２において同一部材に同一符号を付し、説明を省略する。
【００３５】
このような積上げ部材は、図１２に示すように、二個一組として連結骨２１の斜辺部分を合わせて方形に組み合わされ、これを縦方向および横方向に並べると共に上下に段積みすることによって、上下の積上げ部材の脚杆２３同士が垂直に連結された状態で水溜め空間３に装填される。
【００３６】
図１３は、前記二つの実施形態の積上げ部材２において、その脚杆２３をＨ形とした事例を示している。このようなＨ形の脚杆２３を採用した場合、その脚杆２３の一端部の嵌合部２４がＨ形になるので、その脚杆２４の他端部の被嵌合部２５（図１３には別の積上げ部材２の被嵌合部２５を示してある）に、上記嵌合部２４の形状と同じＨ形の凹入部を形成しておくか、あるいは図示していない方形の凹入部を形成しておき、その方形の凹入部に上記Ｈ形の嵌合部２４が嵌合し得るようにしておくとよい。
【００３７】
図１について既述したように、本発明の積上げ部材２を用いて施工される地下貯水槽Ａは、地面を掘り下げることによって地中に凹入状に形成された水溜め空間３を有し、この水溜め空間３の内部に、縦方向および横方向に並べられかつ上下に段積みされた多数の積上げ部材２からなる集合体Ｂが装填され、この集合体Ｂの上部に被覆層５が配設され、この被覆層５に加わる荷重が上記集合体Ｂの積上げ部材２によって受け止められるようになっている。
【００３８】
ところで、図８のように積上げ部材２を段積みすると、集合体Ｂの最上部（最上段）では、個々の積上げ部材２…の脚杆２３…が上方に突き出る。このようなときには、その脚杆２３…の端部に設けられている嵌合部２４を利用して蓋体を取り付けることが望ましい。この蓋体としては、方形の板状枠の片面に、前述の被嵌合部２５と同じ形状・寸法の取付部を設けたものの使用が可能であり、このような蓋体は、図２などに示した積上げ部材２の被嵌合部２５と連結骨２１とを残してその脚杆２３を切断除去することにより容易に作ることができる。こうして作った蓋体は、その取付部（上記被嵌合部２５が相当する）を、上方に突き出ている脚杆２３の嵌合部２４に嵌合することにより集合体Ｂの最上部に取り付けられる。なお、このような蓋体には、合成樹脂の成形体を用いることも可能である。こうして蓋体を集合体Ｂの最上部に取り付けた場合には、その蓋体の上に、たとえば透水性シートと不織布とを敷き、その上に前述の被覆層５を配設しておけばよい。なお、図１には、上記蓋体の配置位置を符号５１で示してある。
【００３９】
この地下貯水槽Ａにおいて、被覆層５の上を人が歩いたり自動車が駐車したりしたときにその被覆層５に加わる荷重は、上記集合体Ｂを構成している本発明の積上げ部材２の垂直な脚杆２３を垂直方向に圧縮する方向に主に作用するようになる。このため、その脚杆２３を折り曲げる方向にはそれほど大きな力が加わらなくなるので、その脚杆２３が折れ曲がったり座屈を起こしたりするおそれは少ない。また、上記集合体Ｂを構成している本発明の積上げ部材２はすべて複数本の脚杆２３と連結骨２１とにより形成された骨組み構造を有しているので、水溜め空間内３での上記集合体Ｂの占める体積が小さく抑えられる。その結果、水溜め空間３の空間率が大きくなるので、その水溜め空間３に多量の水を蓄えることができるようになる。その上、個々の積上げ部材２が上記した骨組み構造を有していることにより、積上げ部材の軽量化も達成しやすい。
【００４０】
また、縦方向および横方向に並べられた積上げ部材２の連結骨２１同士が縦方向および横方向で互いに突き合わされているので、それらの積上げ部材２１が縦方向および横方向に位置ずれしにくい状態になっている。それに加え、縦方向および横方向に並んだ相隣接する積上げ部材２の脚杆２３同士が連結具６によって連結されているので、それらの積上げ部材２１が縦方向および横方向にいっそう位置ずれしにくい状態になっている。従って、多数の積上げ部材２からなる集合体Ｂは、上方からの荷重を受けて崩れるようなことはない。
【００４１】
また、本発明の積上げ部材２を用いて施工される図１の地下貯水槽Ａは、既述したように集水用の側溝３１と水溜め空間３との間にトラップ３３を介在させ、上記側溝３１に流入した雨水がトラップ３３を経て水溜め空間３に流入するように構成されており、このようなものは、テニスコートの地表面やアスファルト舗装面のように枯葉や土砂のない表面水を側溝３１に流入させるような場合に有効である。しかし、公園などのように、雨水に枯葉や有機物が混入する場所に集水用の側溝を設ける場合は、図１４のように、側溝３１にスクリーン３１ａを設け、そのスクリーン３１ａで枯葉や有機物を取り除いた後の雨水が水溜め空間３に流入するようにしておくことが望ましい。
【００４２】
【発明の効果】
本発明に係る地下貯水槽用積上げ部材は、これを水溜め空間３内に縦横に並べると共に上下に段積みしてその上に被覆層を設けることにより地下貯水槽を容易に施工でき、被覆層の上を人が歩いたり自動車が駐車したりしたとき被覆層に加わる荷重によって、各積上げ部材の脚杆が座屈を起こし難く、また、積上げ部材全体の崩壊も生じ難いものであり、それ故、図１５や図１６で説明した従来の積上げ部材に比べて地下貯水槽の耐荷重強度や耐久性能を向上させることが可能になるといった効果を奏する。しかも、本発明の積上げ部材は、連結骨と脚杆とからなる空間率の大きい骨組み構造を有しているため、多量の水を蓄えることができ、軽量化も達成しやすいといった効果を奏する。また、本発明の積上げ部材は合成樹脂製で切断可能なものであるから、例えば脚杆を切断するなどして脚杆の長さを調節すれば、段積みされる積上げ部材の全体高さを調節してその最上部のレベルを水溜め空間の周囲のグランドレベル（地表面）に合わせることができるという利点もある。
【図面の簡単な説明】
【図１】本発明の地下貯水層用積上げ部材を用いて施工した地下貯水槽を概略的に示す縦断面図である。
【図２】本発明の一実施形態に係る地下貯水槽用積上げ部材を斜め上から見たときの概略斜視図である。
【図３】同積上げ部材を倒立させて斜め上から見たときの概略斜視図である。
【図４】同積上げ部材の平面図である。
【図５】同積上げ部材の底面図である。
【図６】同積上げ部材を倒立させた状態の側面図である。
【図７】図４のＶＩＩ−ＶＩＩ線に沿う断面図である。
【図８】同積上げ部材を上下に段積みした状態を示す部分側面図である。
【図９】図９は同積上げ部材を縦方向および横方向に並べた状態を示す概略平面図である。
【図１０】縦方向および横方向に並ぶ積上げ部材の脚杆を連結具で連結した状態を示す部分概略平面図である。
【図１１】本発明の他の実施形態に係る積上げ部材の斜視図である。
【図１２】同積上げ部材を二個一組として連結骨の斜辺部分を合わせて方形に組み合わせた状態を示す平面図である。
【図１３】脚杆の嵌合部および被嵌合部の変形例を示す概略部分斜視図である。
【図１４】本発明の地下貯水層用積上げ部材を用いて施工される地下貯水槽の側溝の変形例を示す縦断面図である。
【図１５】従来の地下貯水槽に用いられている従来の積上げ部材の概略斜視図である。
【図１６】従来の積上げ部材の段積み状態を示す部分側面図である。
【図１７】従来の積上げ部材を段積みした最上部の形態を示す説明図である。
【符号の説明】
Ａ  地下貯水槽
Ｂ  集合体
２  地下貯水槽用積上げ部材
３  水溜め空間
５  被覆層
６  連結具
２１  連結骨
２３  脚杆
２４  嵌合部
２５  被嵌合部
２６  補強用ブラケット
５１  蓋体の配置位置
【図１】
0003668869.tif 000002
【図２】
0003668869.tif 000003
【図３】
0003668869.tif 000004
【図４】
0003668869.tif 000005
【図５】
0003668869.tif 000006
【図６】
0003668869.tif 000007
【図７】
0003668869.tif 000008
【図８】
0003668869.tif 000009
【図９】
0003668869.tif 000010
【図１０】
0003668869.tif 000011
【図１１】
0003668869.tif 000012
【図１２】
0003668869.tif 000013
【図１３】
0003668869.tif 000014
【図１４】
0003668869.tif 000015
【図１５】
0003668869.tif 000016
【図１６】
0003668869.tif 000017
【図１７】
0003668869.tif 000018